(57)【要約】【課題】従来の折り畳み可能な物置箱の構造がやや複雑であり、及び折り畳み操作時に存在する欠点に基ずき、本考案の主旨は構造が更に簡単で、捻り回しの折り畳み操作がより便利で簡単になる物置箱の提供である。【解決手段】回転折り畳み式物置箱の一種で、それの主な特徴は軟質面材をもって上側に開口のある矩形箱体を製作し、その箱体上側の四水平辺はそれぞれフレキシブル性のある水平棒が結合され、各垂直辺はフレキシブル性のある縦棒が結合され、箱体の底部に底板を入れて展開後の物置箱を支え開き、箱体上端の各辺を水平に回すと箱体を扁平状に折り畳むことができる。【選択図】図１
0003117457.tif 000002
【実用新案登録請求の範囲】
【請求項１】
回転折り畳み式物置箱の一種で、それは軟質の面材をもって上側に開口のある角形の箱体を製作できるようにし、その物置箱の上端四つの水平辺にはそれぞれ水平棒が結合され、かつ四つの垂直辺には縦棒が結合されてあり、隣接する前述水平棒の端部の間、及び水平棒と縦棒の端部の間は距離が保持され、その物置箱の内部底面には底板が設けられるようにしてあることを特徴とする回転折り畳み式物置箱。
【請求項２】
前述面材は布地であることを特徴とする請求項１に記載の回転折り畳み式物置箱。
【請求項３】
前述水平棒と縦棒はフレキシブル性のある棒であることを特徴とする請求項1に記載の回転折り畳み式物置箱。
【請求項４】
前述物置箱の一垂直面の底部に近い位置には底板の挿入に供される溝孔が設置されてあることを特徴とする請求項1に記載の回転折り畳み式物置箱。
【考案の詳細な説明】
【技術分野】
【０００１】
本考案は回転折り畳み式物置箱の改善構造に関するものである。
【背景技術】
【０００２】
体積を縮小して収納を便利にする理由から、現在の周知の折り畳み可能な物置箱の構造は軟質の布地から構成された矩形の箱体上側の四辺にそれぞれ上水平棒を設置し、箱体下端の相対両辺にはそれぞれ下水平棒が設けられ、箱体四つの垂直辺にはそれぞれ縦棒が設けられてある。かつその隣接する上水平棒の端部の間と、隣接する下水平棒の端部の間、及び縦棒と上、下水平棒の端部の間には適当な距離が保持されてある。その軟質の箱体はそれら縦棒、上水平棒と下水平棒によって品物を置くことに供される物置箱に支え開くことができ、かつそれを捩り回せば扁平状に折り畳むことができる。
【０００３】
前述従来技術は箱体下端の相対両側に下水平棒を設置しなければならないので、それの構造はやや複雑になる。このほか、それに採用される水平棒と縦棒は剛性の棒であるため、折り畳み操作時は比較的不便である。
【考案の開示】
【考案が解決しようとする課題】
【０００４】
従来の折り畳み可能な物置箱の構造がやや複雑であり、及び折り畳み操作時に存在する欠点に基ずき、本考案の主旨は構造が更に簡単で、捻り回しの折り畳み操作がより便利で簡単になる物置箱の提供である。
【課題を解決するための手段】
【０００５】
本考案の技術特徴は布地のようなフレキシブル性の面材を採用して矩形の箱体を製作し、箱体の上側は開口に形成され、箱体上側の四水平辺にはそれぞれフレキシブル性のある水平棒が結合され、各垂直辺はフレキシブル性のある縦棒が結合され、箱体の底部に底板を入れて箱体が展開されると、それら棒によって箱体は支え開いて物を置くことができ、箱体の下端を動かさない状態に於いて箱体上端を水平に捻り回せば、箱体を扁平状に折り畳むことができ、箱体の上側は四つ同じ三角形に形成され、並びにその四つの三角形で共同に矩形の輪郭を形成し、携帯、輸送、貯蔵または収納の便利を図る。
【０００６】
このほか、本考案の物置箱が折り畳まれてある時間使用されると、各垂直側壁に自然に対角に交叉する折線が押し出され、それによって再びその箱体を捻り回した場合、側壁はより便利にその折線の痕跡に沿って折り畳むことができる。
【考案を実施するための最良の形態】
【０００７】
図１は本考案の最適実施例を示し、それには箱体1と底板2が含まれる。その箱体はできれば充分な厚さ、強度と靭性のある布地（例えばキャンバス）を採用してミシン縫いして作り、箱体の上側には開口があり、底面と四つの垂直側壁は閉鎖した壁面である。このほか、箱体1の上端四辺にはそれぞれ水平棒12が覆い結合され、四つの垂直角端には縦棒13が覆い結合されてある。その隣接する二本の水平棒12の間、及び水平棒12と縦棒13の端部の間は適当な距離が保持され、そのために箱体が捻り回されたときの水平棒及び縦棒の移動空間を提供する。本考案の最適実施例はフレキシブル性のある棒を採用して水平棒12と縦棒13を作り、それによって物置箱を折り畳んだ場合、各水平棒12と縦棒13は適当に曲げられて折り畳みをより便利にする。
【０００８】
前述フレキシブル性のある水平棒12及び縦棒13はガラス繊維棒、炭素繊維棒、ばね棒等を採用してもよく、それらに適当な強度、硬度とフレキシブル性があれば本考案の水平棒及び縦棒を作ることに適合する。
【０００９】
前述水平棒12及び縦棒13を箱体1に結合させる方式は、その水平棒12を箱体上端の各辺一側に置き、各辺を折り返してミシン縫いして固定する。同じく、各縦棒13を箱体の四つの垂直角端に置き、そしてその角端辺を折り返してミシン縫いして固定する。
【００１０】
本考案の底板2の輪郭は概して箱体1の内部空間の寸法に対応し、これにより、底板2を箱体1内の底面に置き、各縦棒13と合わして箱体を支え開くことができ、箱体内に品物を置くことに供される。上端の各水平棒12は箱体開口の拡張の用いを提供し、それによって箱体全体は定型される。
【００１１】
図２は本考案の底板2と箱体1の第二種組み合わせ方式の実施例を表し、それは箱体1の最少一側壁の底部に近い位置に箱体内部を貫通する溝孔14が設けられ、その溝孔14の高さ及び幅はほとんど底板2の厚さと幅に対応することが好ましく、それによって底板2を溝孔14から箱体内に挿入し、箱体の底面に置くことができる。
【００１２】
図３と図４は本考案の物置箱の折り畳み方式の動作を表す。本考案の物置箱を使用しない場合は底板を箱体から取り出す必要がなく、箱体1の下端を動かさない状態で箱体1の上端を水平方向に時計針方向または逆時計針方向に捻り回せば（図３に示すのは逆時計針方向に回す）、箱体各側壁を捻り曲げることができ、この場合は捻り回す力によって水平棒12と縦棒13は力を受けて適当に彎曲するが、破壊までにはならず、順調に箱体を捻り回すことができる。引き続き捻り回して箱体の高さが低くなり、箱体の各垂直側壁も逐次水平状態に近寄り、更に箱体上端の開口個所は逐次四つの三角形に形成される（図４に示す如く）。最後は箱体の上端と下端が接触して重ね合わせ（図５に示す如く）、箱体上側の開口範囲内に四つ同じ三角形が形成され、並びにその四つの三角形によって共同して矩形の輪郭が構成される。この状態はすなわち折り畳みが完了した扁平体であり、収納、輸送または貯存に十分適合する。前述折り畳みされた扁平状はある時間を経ると、物置箱自体の重さまたはその他品物の押し付けによって、図５の各三角形の輪郭の折跡11が折り出される。したがって、後日その展開された物置箱をもう一度捻り回して折り畳める場合、箱体の側壁はその折跡11に沿って順調に矩形の扁平状に折り畳むことができる。
【図面の簡単な説明】
【００１３】
【図１】本考案の物置箱の構造、及び底板が上側から物置箱内に置かれる実施例の立体分解図である。
【図２】本考案の底板が側辺から物置箱の底部に組み合わせられる実施例の立体分解図である。
【図３】本考案の物置箱の上端を回し、更に箱体を捻り回した実施例の作動図である。
【図４】図３の物置箱を更に捻り回した実施例の作動図である。
【図５】図４に示した状態の物置箱を扁平状に折り畳んだ実施例の立体図である。
【符号の説明】
【００１４】
１    箱体
１２  水平棒
１３  縦棒
２    底板
【図１】
0003117457.tif 000003
【図２】
0003117457.tif 000004
【図３】
0003117457.tif 000005
【図４】
0003117457.tif 000006
【図５】
0003117457.tif 000007